(57)【要約】      （修正有）【課題】着脱部材またはフットを筐体から取り外して他の場所に保管しなくても、本体を机等に載置する場合に本体の左右に曲げ部が突出したままの状態とならず、また、本体を収納ラックに収納する場合にフットが邪魔になることを防止することができる電子機器を提供する。【解決手段】側面及び後面に雌ネジ部201〜203を備える筐体2と、一端に曲げ部501を備える平板であり当該曲げ部に貫通する孔502を備え前記曲げ部の曲げ方向に対して裏面となる面に凹部を備え凹部の中央部分に貫通する孔504を備える着脱部材5,6と、凹部に固着し上端が曲げ部の曲げ方向に対して裏面となる面から突出する弾性体と、凹部に備える孔を介して筐体の左右側面に備える雌ネジ部に締めつけることにより着脱部材を筐体の側面に固定し、または、曲げ部に備える孔を介して筐体の後面に備える雌ネジ部に締めつけることにより着脱部材の前記曲げ部を筐体の後面に固定する雄ネジ10とを備える。【選択図】図１
2007115384.tif 000002
【特許請求の範囲】
【請求項１】
側面及び後面にそれぞれ雌ネジ部を備える筐体と、
一端に略直角に折り曲げられた曲げ部を備える平板であり当該曲げ部に貫通する孔を備え前記曲げ部の曲げ方向に対して裏面となる面に凹部を備え当該凹部の中央部分に貫通する孔を備える着脱部材と、
前記凹部に固着し上端が前記曲げ部の曲げ方向に対して裏面となる面から突出する弾性体と、
前記凹部に備える孔を介して前記筐体の左右側面に備える雌ネジ部に締めつけることにより前記着脱部材を前記筐体の側面に固定し、または、前記曲げ部に備える孔を介して前記筐体の後面に備える雌ネジ部に締めつけることにより前記着脱部材の前記曲げ部を前記筐体の後面に固定する雄ネジとを備えることを特徴とする電子機器。
【請求項２】
側面、後面、上面及び下面にそれぞれ雌ネジ部を備える筐体と、
一端に略直角に折り曲げられた曲げ部を備える平板であり当該曲げ部に貫通する孔を備え前記曲げ部の曲げ方向に対して裏面となる面に凹部を備え当該凹部の中央部分に貫通する孔を備える着脱部材と、
前記凹部に固着し上端が前記曲げ部の曲げ方向に対して裏面となる面から突出する第１の弾性体と、
前記曲げ部の端辺から突出する凸部を備え曲げ方向に対して外側となる前記曲げ部の面に固着する第２の弾性体と、
前記曲げ部に対して反対側の端辺部分であって前記曲げ部の曲げ方向に対して表面となる前記曲げ部の面に固着する第３の弾性体と、
前記凹部に備える孔を介して前記筐体の左右側面に備える雌ネジ部に締めつけることにより前記着脱部材を前記筐体の側面に固定し、または、前記曲げ部に備える孔を介して前記筐体の後面に備える雌ネジ部に締めつけることにより前記着脱部材の前記曲げ部を前記筐体の後面に固定し、または、前記凹部に備える孔を介して前記筐体の上面及び下面に備える雌ネジ部に締めつけることにより前記着脱部材を前記筐体の上面及び下面に固定する雄ネジとを備えることを特徴とする電子機器。
【発明の詳細な説明】
【技術分野】
【０００１】
本発明は、収納ラックに装置を固定するための着脱部材を備える電子機器に関する。
【背景技術】
【０００２】
従来の電子機器として、筐体の左側面及び右側面に装置本体を収納ラックに固定するための着脱可能な着脱部材を備えるものがある（例えば、特許文献１参照）。
【０００３】
図１１は、従来の電子機器の一例を示す斜視図である。
従来の電子機器として、オーディオ信号記録装置を例に挙げ説明する。
オーディオ信号記録装置１００は、前面パネル３、表示部４、フット８、固定ネジ９、雄ネジ１０、筐体２００、着脱部材５００、着脱部材６００、図示しない入力部、記録部及び信号処理部を備える。筐体２００は、前方が開口する箱型を成す。入力部は、筐体２００の後面に固定され、記録部及び信号処理部は筐体２００の内部に固定される。前面パネル部３は、薄い直方体を形成し、図示しないネジによって筐体２００の前面に固定される。前面パネル部３は、表面に表示部４を備える。
【０００４】
筐体２００は、左側面及び右側面にそれぞれ雌ネジ部２０１を備え、下面に雌ネジ部２０４を備える。着脱部材５００及び着脱部材６００はそれぞれ左右対称の形状である。着脱部材５００及び着脱部材６００は、薄い平板であり、それぞれ貫通する孔５０４を備える。着脱部材５００及び着脱部材６００は、一端に略直角に折り曲げられ貫通する孔５０２を備えた曲げ部５０１を備える。着脱部材５００及び着脱部材６００は、それぞれ雄ネジ１０が孔５０４を介して筐体２００の雌ネジ部２０１に締め付けられることにより筐体２００の左側面及び右側面にそれぞれ固定され、また、雌ネジ部２０１に締め付けられた雄ネジ１０を緩めて取り外すことにより筐体２００の左側面及び右側面から取り外される。フット８は、ゴム部材等の弾性体であり、固定ネジ９がフット８に形成された図示しない孔を介して筐体２００の雌ネジ部２０４に締め付けられることにより筐体２００の下面に固定され、また、雌ネジ部２０４に締め付けられた固定ネジ９を緩めて取り外すことにより筐体２００の下面から取り外される。
【０００５】
入力部は、図示しない導電ケーブルを介して他の装置から出力されたオーディオ信号を入力し、記録部へ出力する。記録部は、入力部からのオーディオ信号を記録する。出力部は、図示しない導電ケーブルを介して記録部に記録されたオーディオ信号を他の装置へ出力する。信号処理部は、記録部に記録されたオーディオ信号の記録時間を演算し、記録時間を示す情報を記録時間信号として表示部４へ出力する。表示部４は、信号処理部からの記録時間信号に応じて、記録時間を示す情報を表示する。
【０００６】
オーディオ信号記録装置１００を収納ラック（図示せず）に固定する場合は、先ず、固定ネジ９を雌ネジ部２０４から取り外してフット８を筐体２００から取り外した状態とし、着脱部材５００及び着脱部材６００の孔５０４を介して雄ネジ１０を雌ネジ部２０１に締め付け、筐体２００の左側面及び右側面に着脱部材５００及び着脱部材６００をそれぞれ固定する。次に、収納ラックに備えられた雌ネジ部の位置と曲げ部５０１の孔５０２の位置とを合わせた状態とし、孔５０２を介して雄ネジ（図示せず）を収納ラックの雌ネジ部に締め付ける。このことによって、オーディオ信号記録装置１００を収納ラックに固定することができる。
【０００７】
オーディオ信号記録装置１００を机等に載置して用いる場合は、先ず、雄ネジ１０を雌ネジ部２０１から取り外して着脱部材５００及び着脱部材６００を筐体２００の左側面及び右側面から取り外した状態とし、固定ネジ９によってフット８を筐体２００の下面に固定する。次に、フット８の下面が机等の表面に当接するようにしてオーディオ信号記録装置１００を机等に載置する。このことによって、オーディオ信号記録装置１００は、フット８の下面のみが机等に当接した状態で机等に載置することができる。
【０００８】
【特許文献１】特開２００３−３０４６２３号公報
【発明の開示】
【発明が解決しようとする課題】
【０００９】
前述したように、オーディオ信号記録装置１００を収納ラックに固定する場合は、フット８及び固定ネジ９を筐体２００から取り外し、この取り外したフット８及び固定ネジ９を他の場所に保管しておく必要がある。また、オーディオ信号記録装置１００を机等に載置する場合は、着脱部材５００、着脱部材６００及び雄ネジ１０を筐体２００から取り外し、この取り外した着脱部材５００、着脱部材６００及び雄ネジ１０を他の場所に保管しておく必要がある。
このため、例えば、オーディオ信号記録装置１００を机等に載置している期間が長期に亘っている場合、着脱部材５００、着脱部材６００及び雄ネジ１０を保管しておいた場所を忘れてしまうことがある。この場合、長期に亘ってオーディオ信号記録装置１００を机等に載置していた後に、オーディオ信号記録装置１００を収納ラックに固定したいと希望しても、着脱部材５００、着脱部材６００及び雄ネジ１０を保管しておいた場所を忘れてしまったために、オーディオ信号記録装置１００を収納ラックに固定することができなくなる。また、例えば、オーディオ信号記録装置１００を収納ラックに固定している期間が長期に亘っている場合も同様に、フット８及び固定ネジ９を保管しておいた場所を忘れてしまい、フット８をオーディオ信号記録装置１００に固定することができなくなる。
【００１０】
このように、オーディオ信号記録装置１００を机等に載置していた状態から収納ラックに固定したいと希望しても、着脱部材５００、着脱部材６００及び雄ネジ１０を保管しておいた場所を忘れてしまうと、筐体２００の左側面及び右側面に着脱部材５００及び着脱部材６００を固定することができないため、オーディオ信号記録装置１００を収納ラックに固定することができなくなってしまう。また、オーディオ信号記録装置１００を収納ラックに固定していた状態から机等に載置したいと希望しても、フット８及び固定ネジ９を保管していた場所を忘れてしまうと、筐体２００の下面にフット８を固定することができないため、フット８の下面のみを机等に当接した状態でオーディオ信号記録装置１００を机等に載置することができなくなってしまう。
【００１１】
前述したような、着脱部材５００、着脱部材６００及び雄ネジ１０またはフット８及び固定ネジ９の保管場所を忘れてしまうのを防止するために、筐体２００に着脱部材５００、着脱部材６００及びフット８を固定したままの状態で、収納ラックにオーディオ信号記録装置１００を固定したり、また、オーディオ信号記録装置１００を机等に載置して用いるようにすれば、着脱部材５００、着脱部材６００及び雄ネジ１０またはフット８及び固定ネジ９の保管場所を忘れてしまうことを防止することができる。しかしながら、筐体２００の下面にフット８が固定された状態でオーディオ信号記録装置１００を収納ラックに固定すると、例えば、筐体２００の下面に他の装置を近接させた状態で収納ラックに固定する必要がある場合、このフット８が邪魔となってしまい、筐体２００の下面に他の装置を近接させて収納ラックに固定することができなくなる。また、オーディオ信号記録装置１００を机等に載置する場合に着脱部材５００及び着脱部材６００が筐体２００の左側面及び右側面に固定されていると、着脱部材５００及び着脱部材６００の曲げ部５０１がそれぞれ筐体２００の左右から突出した状態となるため、オーディオ信号記録装置１００を移動させた際に、この筐体２００から突出した曲げ部５０１が他の装置に当たってしまい、オーディオ信号記録装置１００や他の装置が破損してしまう虞がある。
【００１２】
また、図１１に示すような、収納ラックに固定したり、机等に載置することが可能なオーディオ信号記録装置１００においては、オーディオ信号記録装置１００を机等に載置する場合、載置可能な領域が狭いなどの理由により、図１１に示すように、長手方向を横向きにして載置するオーディオ信号記録装置を縦向きにして載置したいと希望する場合がある。図１１に示すような従来のオーディオ記録装置１００を縦向きにして載置しようとする場合は、例えば、筐体２００の右側面を下向きにして机等に載置する。この場合、外部から筐体２００に振動や衝撃が加わっても簡単にオーディオ信号記録装置１００が転倒しまうことを防止するために、筐体２００を周囲で支えるための補強部材を筐体２００に固定する必要がある。また、筐体２００の右側面を直に机等に当接させて机等に載置すると、筐体２００や机等に傷がついてしまったり、机等からの振動や衝撃が直に筐体に伝達してオーディオ信号記録装置１００の内部の電子回路が破損してしまう虞があることから、筐体２００の右側面や前述した補強部材にゴム部材等の弾性体から成るフットを取り付け、このフットが机等に当接するような構成とする必要がある。
【００１３】
このように、収納ラックに固定したり、また、机等に載置することが可能なオーディオ信号記録装置１００を縦向きにしても載置可能とするためには、更に筐体２００を縦向きに載置した場合に筐体２００の側面に固定するためのフットや筐体２００の周囲を支える補強部材が必要となる。このため、オーディオ信号記録装置１００を縦向きにして机等に載置する場合は、前述したようなオーディオ信号記録装置１００を収納ラックに固定するために必要な着脱部材５００及び着脱部材６００や、オーディオ信号記録装置１００を横向きにして載置するのに必要なフット８及び固定ネジが邪魔になることから、このような部材を筐体２００から外して他の場所に保管しておく必要があり、オーディオ信号記録装置１００を収納ラックに固定するのに必要な部材やオーディオ信号記録装置を横向きに載置させる場合に必要な部材を保管しておいた場所を忘れてしまうと、オーディオ信号記録装置１００を収納ラックに固定したり、横向きに載置することができなくなる。また、オーディオ信号記録装置１００を横向きにして机等に載置する場合は、前述したようなオーディオ信号記録装置１００を収納ラックに固定するために必要な部材やオーディオ信号記録装置１００を縦向きにして載置するのに必要な部材が邪魔になることから、このような部材を筐体２００から外して他の場所に保管しておく必要があり、このような部材を保管しておいた場所を忘れてしまうと、オーディオ信号記録装置１００を収納ラックに固定したり、縦向きにして机等に載置することができなくなる。
【００１４】
また、図１１に示すような、オーディオ信号記録装置１００を机等に載置する場合、使用者が前面パネル３に備える表示部４の視認性を良くするために、表示部４を上方に傾斜させて机等に載置したいと希望する場合がある。この場合、表示部４を上方に傾斜させた状態を維持するための特殊なフット等の部材を筐体２００下面と机等の間に備える必要がある。このため、収納ラックに固定したり、また、机等に載置することが可能なオーディオ信号記録装置１００において、更に、表示部４を上方に傾斜させた状態でオーディオ信号記録装置１００を机等に載置することができるようにするためには、このような特殊な部材が必要となり、オーディオ信号記録装置１００のコストが増加してしまう。また、このような特殊な部材を備える構成とした場合、表示部４を上方に傾斜させて机等に載置する必要がないときは、この特殊な部材が不必要となることから、このような特殊な部材を他の場所に保管しておく必要があり、この保管しておいた場所を忘れてしまうと、表示部４を上方に傾斜させた状態でオーディオ信号記録装置１００を机等に載置することができなくなる。
【００１５】
本発明は、本体を収納ラックに固定し、また、本体を机等に載置することが可能な電子機器において、着脱部材またはフットを筐体から取り外して他の場所に保管しなくても、本体を机等に載置する場合に本体の左右に曲げ部が突出したままの状態とならず、また、本体を収納ラックに収納する場合にフットが邪魔になることを防止することができる電子機器を提供することを目的とする。
【００１６】
また、本発明は、本体を収納ラックに固定し、また、本体を机等に横向きまたは縦向きにして机等に載置したり、筐体を傾斜させた状態で机等に載置することが可能な電子機器において、着脱部材、フット及び補強部材を筐体から取り外して他の場所に保管する必要がなく、また、筐体を傾斜させた状態で机等に載置するための部材をこれらの着脱部材等とは別に用意する必要がない電子機器を提供することを目的とする。
【課題を解決するための手段】
【００１７】
本願の請求項１記載の発明は、電子機器において、側面及び後面にそれぞれ雌ネジ部を備える筐体と、一端に略直角に折り曲げられた曲げ部を備える平板であり当該曲げ部に貫通する孔を備え前記曲げ部の曲げ方向に対して裏面となる面に凹部を備え当該凹部の中央部分に貫通する孔を備える着脱部材と、前記凹部に固着し上端が前記曲げ部の曲げ方向に対して裏面となる面から突出する弾性体と、前記凹部に備える孔を介して前記筐体の左右側面に備える雌ネジ部に締めつけることにより前記着脱部材を前記筐体の側面に固定し、または、前記曲げ部に備える孔を介して前記筐体の後面に備える雌ネジ部に締めつけることにより前記着脱部材の前記曲げ部を前記筐体の後面に固定する雄ネジとを備えることを特徴とする。
【００１８】
本願の請求項２記載の発明は、電子機器において、側面、後面、上面及び下面にそれぞれ雌ネジ部を備える筐体と、一端に略直角に折り曲げられた曲げ部を備える平板であり当該曲げ部に貫通する孔を備え前記曲げ部の曲げ方向に対して裏面となる面に凹部を備え当該凹部の中央部分に貫通する孔を備える着脱部材と、前記凹部に固着し上端が前記曲げ部の曲げ方向に対して裏面となる面から突出する第１の弾性体と、前記曲げ部の端辺から突出する凸部を備え曲げ方向に対して外側となる前記曲げ部の面に固着する第２の弾性体と、前記曲げ部に対して反対側の端辺部分であって前記曲げ部の曲げ方向に対して表面となる前記曲げ部の面に固着する第３の弾性体と、前記凹部に備える孔を介して前記筐体の左右側面に備える雌ネジ部に締めつけることにより前記着脱部材を前記筐体の側面に固定し、または、前記曲げ部に備える孔を介して前記筐体の後面に備える雌ネジ部に締めつけることにより前記着脱部材の前記曲げ部を前記筐体の後面に固定し、または、前記凹部に備える孔を介して前記筐体の上面及び下面に備える雌ネジ部に締めつけることにより前記着脱部材を前記筐体の上面及び下面に固定する雄ネジとを備えることを特徴とする。
【発明の効果】
【００１９】
本発明によれば、本体を収納ラックに固定し、また、本体を机等に載置することが可能な電子機器において、着脱部材またはフットを筐体から取り外して他の場所に保管しなくても、本体を机等に載置する場合に本体の左右に曲げ部が突出したままの状態とならず、また、本体を収納ラックに収納する場合にフットが邪魔になることを防止することができる電子機器を提供することができる。
【００２０】
また、本発明によれば、本体を収納ラックに固定し、また、本体を机等に横向きまたは縦向きにして机等に載置したり、筐体を傾斜させた状態で机等に載置することが可能な電子機器において、着脱部材、フット及び補強部材を筐体から取り外して他の場所に保管する必要がなく、また、筐体を傾斜させた状態で机等に載置するための部材をこれらの着脱部材等とは別に用意する必要がない電子機器を提供することができる。
【発明を実施するための最良の形態】
【００２１】
本発明の実施の形態を図面を参照して説明する。なお、従来技術で示した構成要素と同一の部分については同符号を用いる。
【００２２】
本発明の電子機器として、オーディオ信号記録装置を例に挙げ説明する。
図１は、本発明の第１実施例のオーディオ信号記録装置の構成を示す斜視図である。
オーディオ信号記録装置１は、筐体２、前面パネル３、表示部４、着脱部材５、着脱部材６、雄ネジ１０、図示しない入力部、記録部及び信号処理部を備える。筐体２は、前方が開口する箱型を成す。入力部は、筐体２の後面に固定され、記録部及び信号処理部は筐体２の内部に固定される。前面パネル部３は、薄い直方体を形成し、図示しないネジによって筐体２の前面に固定される。前面パネル部３は、表面に表示部４を備える。
【００２３】
筐体２は、左側面及び右側面にそれぞれ雌ネジ部２０１を備え、後面の左側部分及び右側部分にそれぞれ雌ネジ部２０２及び雌ネジ部２０３を備える。着脱部材５及び着脱部材６は、それぞれ左右対称の形状である。
【００２４】
入力部は、図示しない導電ケーブルを介して他の装置から出力されたオーディオ信号を入力し、記録部へ出力する。記録部は、入力部からのオーディオ信号を記録する。出力部は、図示しない導電ケーブルを介して記録部に記録されたオーディオ信号を他の装置へ出力する。信号処理部は、記録部に記録されたオーディオ信号の記録時間を演算し、記録時間を示す情報を記録時間信号として表示部４へ出力する。表示部４は、信号処理部からの記録時間信号に応じて、記録時間を示す情報を表示する。
【００２５】
図２は、本発明の第１実施例のオーディオ信号記録装置１の着脱部材５を示す図で、図２（ａ）は側面図、図２（ｂ）は図２（ａ）のＡ−Ａ断面図である。着脱部材６は、着脱部材５に対して左右対称の形状であるため、説明を省略する。
着脱部材５は、薄い平板であり、一端に略直角に折り曲げられ、貫通する孔５０２を備えた曲げ部５０１を備える。着脱部材５は、図２（ｂ）に示すように、曲げ部５０１の曲げ方向に対して裏面となる面（図２（ｂ）に示す下方の面）に凹部５０３を備える。凹部５０３の略中央には、貫通する孔５０４を備える。凹部５０３には、ゴム部材であって円筒型を形成する弾性体７（第１の弾性体）が接着剤によって固定されている。弾性体７は、孔５０４と同一の位置となる位置に貫通する孔７０１を備える。図２（ｂ）に示すように、弾性体７の先端（図２（ｂ）に示す下端）は、曲げ部５０１の曲げ方向に対して裏面となる面（図２（ｂ）に示す下方の面）から突出している。孔５０４、孔７０１及び孔５０２の内径は、図１に示す雄ネジ１０のネジ部の外径より大きく、また、雄ネジ１０のネジ頭部の外径より小さいものとする。
【００２６】
図３は、本発明の第１実施例の着脱部材５を筐体２の左側面に固定する様子を示す図で、図３（ａ）は着脱部材５を筐体２の側面に近接させ、孔５０４及び孔７０１を介して雄ネジ１０を雌ネジ部２０１に締め付けようとする状態を示す断面図、図３（ｂ）は、図３（ａ）の状態から雄ネジ１０を雌ネジ部２０１に締め付けた状態を示す断面図である。
【００２７】
着脱部材５を筐体２の左側面に固定する場合は、図１及び図３（ａ）に示すように、着脱部材５を筐体２の左側面に近接させ、孔５０４及び孔７０１を介して雄ネジ１０を雌ネジ部２０１に締め付ける。すると、図３（ｂ）に示すように、弾性体７は、雄ネジ１０を雌ネジ部２０１に締め付ける力によって凹部５０３の内部で弾性変形する。この結果、着脱部材５は、表面が筐体２の左側面に当接した状態で筐体２に固定された状態となる。
【００２８】
着脱部材６を筐体２の右側面に固定する場合についても、前述した着脱部材５を筐体２の左側面に固定するのと同様に、図１に示すように着脱部材５を筐体２の右側面に近接させ、孔５０４及び孔７０１を介して雄ネジ１０を雌ネジ部２０１に締め付けることにより、弾性体７が凹部５０３の内部で弾性変形し、筐体２の右側面に固定された状態となる。
【００２９】
このように、着脱部材５及び着脱部材６を筐体２の右側面及び左側面に固定した状態で収納ラック（図示せず）に備えられた雌ネジ部の位置と曲げ部５０１の孔５０２の位置とを合わせた状態とし、孔５０２を介して雄ネジ（図示せず）を収納ラックの雌ネジ部に締め付けることによって、オーディオ信号記録装置１を収納ラックに固定することができる。
【００３０】
図４は、本発明の第１実施例の着脱部材５及び着脱部材６の曲げ部５０１をそれぞれ筐体２の後面に固定する状態を示す斜視図である。
オーディオ信号記録装置１を机等に載置しようとする場合は、図４に示すように、着脱部材５及び着脱部材６の曲げ部５０１をそれぞれ筐体２の後面に近接させた状態とし、着脱部材５の孔５０２を介して雄ネジ１０を雌ネジ部２０２に締め付ける。このことによって、着脱部材５及び着脱部材６の曲げ部５０１は、筐体２の後面に固定される。
【００３１】
図５は、本発明の第１実施例において、図４に示すように着脱部材５及び着脱部材６の曲げ部５０１をそれぞれ筐体２の後面に固定した後、オーディオ信号記録装置１を机等に載置した状態を示す断面図である。
【００３２】
図５に示すように、着脱部材５及び着脱部材６の曲げ部５０１をそれぞれ筐体２の後面に固定すると、弾性体７の先端（図５に示す下方端）が着脱部材６の表面から下方に突出した状態となる。この状態で弾性体７の先端を机１１の表面に当接させることにより、弾性体７の先端のみが机１１の上面に載置された状態で、オーディオ信号記録装置１を机１１に載置することができる。
【００３３】
以上のように、オーディオ信号記録装置１を収納ラックに固定する場合は、図１、図３（ａ）及び図３（ｂ）に示すように、着脱部材５及び着脱部材６を筐体２の左側面及び右側面に近接させ、着脱部材５及び着脱部材６の孔５０４及び孔７０１を介して雄ネジ１０を筐体２の左側面及び右側面に備えた雌ネジ部２０２にそれぞれ締め付け、着脱部材５及び着脱部材６を筐体２の左側面及び右側面に固定する。そして、着脱部材５及び着脱部材６の孔５０２を介して雄ネジを収納ラックに固定することにより、オーディオ信号記録装置１を収納ラックに固定することができる。また、オーディオ信号記録装置１を机等に載置する場合は、図４及び図５に示すように、着脱部材５及び着脱部材６の曲げ部５０１をそれぞれ筐体２の後面に固定することによって、弾性体７のみが机１１の表面に当接した状態でオーディオ信号記録装置１を机１１に載置することができる。
【００３４】
弾性体７は、図５に示すように、机１１にオーディオ信号記録装置１を載置した場合、オーディオ信号記録装置１、着脱部材５及び着脱部材６の重さによって弾性変形するが、予め、オーディオ信号記録装置１、着脱部材５及び着脱部材６の重さによって弾性変形しても着脱部材６の表面から弾性体７の先端（図５に示す下方端）が着脱部材６の表面から突出した状態を維持するように弾性係数及び形状を設定しておくことによって、弾性体７の先端（図５に示す下方端）のみが机１１の表面に当接した状態でオーディオ信号記録装置１を机１１に載置することができる。また、弾性体７は、図１、図３（ａ）及び図３（ｂ）に示すように、着脱部材５及び着脱部材６を筐体２の左側面及び右側面に固定する場合に、雌ネジ部２０１に雄ネジ１０を締め付ける力によって凹部５０３の内部で弾性変形するように予め弾性係数及び形状を設定しておく。
【００３５】
本発明の第１実施例のオーディオ信号記録装置１は、オーディオ信号記録装置１を机等に載置する場合、従来のオーディオ信号記録装置のように、着脱部材５及び着脱部材６を他の場所に保管しておく必要がなく、また、収納ラックに固定する場合、従来のオーディオ信号記録装置のように、フット及びフットを固定する固定部材を他の場所に保管しておく必要がない。このことにより、従来のオーディオ信号記録装置のように、オーディオ信号記録装置を机等に載置していた状態から収納ラックに固定したいと希望しても、筐体の側面に固定する着脱部材を保管しておいた場所を忘れてしまい、オーディオ信号記録装置を収納ラックに固定することができなくなってしまうことを防止することができる。また、オーディオ信号記録装置を収納ラックに固定していた状態から机等に載置したいと希望しても、フット及び固定ネジを保管していた場所を忘れてしまい、フット等の弾性体のみが机等の表面に当接した状態でオーディオ信号記録装置を机等に載置することができなくなってしまうことを防止することができる。
【００３６】
本発明の第１実施例のオーディオ信号記録装置１は、オーディオ信号記録装置１を机等に載置する場合は、着脱部材５及び着脱部材６の孔５０２を介して雄ネジ１０を筐体２の後面に備える雌ネジ部２０２及び雌ネジ部２０３に締め付ける構成としたが、筐体２の下面に雌ネジを備え、着脱部材５及び着脱部材６の孔７０１及び孔５０４を介して雄ネジ１０を当該筐体２に備える雌ネジに締め付ける構成としても良い。この場合、孔７０１の内径を雄ネジ１０のネジ頭部の外径より大きくしておけば、雄ネジ１０のネジ頭部が孔７０１内に位置した状態で着脱部材５及び着脱部材６を筐体２の下面に固定することができるので、弾性体７の先端のみが机等の表面に当接した状態でオーディオ信号記録装置１を机等に載置することができる。
【００３７】
次に、本発明の電子機器の第２実施例について説明する。
図６は、本発明の第２実施例のオーディオ信号記録装置の構成を示す斜視図である。
オーディオ信号記録装置１は、前面パネル３、表示部４、雄ネジ１０、筐体２０、着脱部材５０、着脱部材６０、図示しない入力部、記録部及び信号処理部を備える。
前面パネル３、表示部４、雄ネジ１０、入力部、記録部及び信号処理部は、第１の実施例の構成と同じであるため、詳細な説明は省略する。
【００３８】
筐体２０は、第１実施例の筐体２と同様に、前方が開口する箱型を成し、左側面及び右側面にそれぞれ雌ネジ部２０１を備え、後面の左側部分及び右側部分にそれぞれ雌ネジ部２０２及び雌ネジ部２０３を備える。第２実施例において、筐体２０は、上面及び下面にそれぞれ雌ネジ部２０５及び雌ネジ部２０６を備える。着脱部材５０及び着脱部材６０は、それぞれ左右対称の形状である。
【００３９】
図７は、本発明の第２実施例のオーディオ信号記録装置１の着脱部材５０を示す図で、図７（ａ）は側面図、図７（ｂ）は図７（ａ）のＡ−Ａ断面図である。着脱部材６０は、着脱部材５０に対して左右対称の形状であるため、説明を省略する。
【００４０】
着脱部材５０は、第１実施例の着脱部材５と同様に、薄い平板であり、一端に略直角に折り曲げられ、貫通する孔５０２を備えた曲げ部５０１を備える。着脱部材５０は、第１実施例の着脱部材５と同様に、曲げ部５０１の曲げ方向に対して裏面となる面（図７（ｂ）に示す下方の面）に凹部５０３を備え、凹部５０３の略中央には、貫通する孔５０４を備える。凹部５０３には、第１実施例の着脱部材５と同様に、弾性体７が接着剤によって固定されている。弾性体７、孔５０４、孔７０１及び孔５０２の形状及び位置は、第１実施例で説明した構成と同一であるため説明を省略する。
【００４１】
着脱部材５０は、曲げ部５０１の曲げ方向に対して外側となる面（図７（ａ）及び図７（ｂ）に示す左方向の面）にゴム部材であって直方体を形成する弾性体１２（第２の弾性体）が接着剤により固着されている。図７（ｂ）に示すように、弾性体１２は、曲げ部５０１の端辺から突出した凸部１２１を備える。また、着脱部材５０は、曲げ部５０１と反対側の端辺部分であって、曲げ部５０１の曲げ方向に対して内側となる面（図７（ａ）及び図７（ｂ）に示す右方向の端辺部分であって図７（ｂ）に示す上方の面）に薄いゴム部材である弾性体１５（第３の弾性体）が接着剤により固定されている。
【００４２】
本発明の第２実施例のオーディオ信号記録装置１は、第１実施例と同様に、収納ラックに固定する場合は、図１、図３（ａ）及び図３（ｂ）に示すように、着脱部材５０及び着脱部材６０を筐体２０の左側面及び右側面に近接させ、着脱部材５０及び着脱部材６０の孔５０４及び孔７０１を介して雄ネジ１０を筐体２０の左側面及び右側面に備えた雌ネジ部２０２にそれぞれ締め付け、着脱部材５０及び着脱部材６０を筐体２０の左側面及び右側面に固定することにより、オーディオ信号記録装置１を収納ラックに固定することができる。また、オーディオ信号記録装置１を机等に横向きに載置する場合は、第１実施例と同様に、図４及び図５に示すように、着脱部材５０及び着脱部材６０の曲げ部５０１をそれぞれ筐体２の後面に固定することによって、弾性体７のみが机１１の表面に当接した状態でオーディオ信号記録装置１を机１１に載置することができる。
【００４３】
図８は、本発明の第２実施例の着脱部材５０及び着脱部材６０をそれぞれ図６に示す筐体２０の上面及び下面に近接させ、孔５０４及び孔７０１を介して雄ネジ１０を雌ネジ部２０５及び雌ネジ部２０６に締め付けようとする状態を示す断面図である。
図９は、本発明の第２実施例において、図８の状態から雄ネジ１０を雌ネジ部２０５及び雌ネジ部２０６に締め付けた状態を示す断面図である。
なお、図８及び図９に示す筐体２０は、上方及び下方を図６に示す筐体２０の左側面及び右側面とし、右方向及び左方向を図６に示す筐体２０の上面及び下面とする。
【００４４】
筐体２０を縦向きにして机等に載置する場合は、着脱部材５０及び着脱部材６０を図６に示す筐体２０の上面及び下面に固定する。
着脱部材５０を筐体２０の上面に固定する場合は、図８に示すように、着脱部材５０を図１に示す筐体の上面に近接させ、孔５０４及び孔７０１を介して雄ネジ１０を雌ネジ部２０５に締め付ける。すると、図９に示すように、着脱部材５０の弾性体７は、雄ネジ１０を雌ネジ部２０１に締め付ける力によって凹部５０３の内部で弾性変形する。この結果、着脱部材５０は、表面が筐体２０の上面に当接した状態で筐体２０に固定された状態となる。
【００４５】
着脱部材６０を筐体２０の下面に固定する場合についても、前述した着脱部材５０を筐体２０の上面に固定するのと同様に、図８に示すように着脱部材５０を図６に示す筐体２０の下面に近接させ、孔５０４及び孔７０１を介して雄ネジ１０を雌ネジ部２０６に締め付けることにより、図９に示すように、弾性体７が凹部５０３の内部で弾性変形し、筐体２０に固定された状態となる。
【００４６】
なお、図９に示すように、雌ネジ部２０５及び雌ネジ部２０６は、着脱部材５０及び着脱部材６０を筐体２０の上面及び下面に固定した状態のとき、着脱部材５０及び着脱部材６０のそれぞれの弾性体１２が図６に示す筐体２０の右側面から突出する位置に配設しておく。
【００４７】
図９に示すように、着脱部材５０及び着脱部材６０をそれぞれ図１に示す筐体２の上面及び下面に固定すると、弾性体１２の先端（図９に示す下方端）が筐体２０から下方に突出した状態となる。この状態で弾性体１２の先端を机１１の表面に当接させることにより、着脱部材５０及び着脱部材６０が筐体２０を支えた状態となり、また、弾性体１２の先端のみが机１１の上面に載置された状態で、オーディオ信号記録装置１を机１１に縦向きに載置することができる。
【００４８】
このように、着脱部材５０及び着脱部材６０をそれぞれ筐体２０の上面及び下面に固定し、着脱部材５０及び着脱部材６０のそれぞれの弾性体１２の先端を机１１の上面に当接させることにより、オーディオ信号記録装置１を縦向きにして机１１に載置した場合、着脱部材５０及び着脱部材６０が筐体２０を支えた状態で机１１に載置されることから、例えば、外部から筐体２０に振動や衝撃が加わった場合でも、筐体２０が容易に転倒してしまうことを防止することができる。また、この場合、弾性体１２の先端のみが机１１の上面に載置された状態で、オーディオ信号記録装置１を机１１に縦向きに載置することにより、筐体２０の側面が直に机等に当接して筐体２０や机１１に傷がついてしまったり、机１１からの振動や衝撃が直に筐体２０に伝達することを防止することができる。
【００４９】
本発明の第２実施例のオーディオ信号記録装置１は、オーディオ信号記録装置１を机等に縦向きに載置する場合、従来のオーディオ信号記録装置のように、オーディオ信号記録装置１を机等に横向きに載置する場合に必要なフット及びフットを固定する固定部材や、収納ラックに固定する場合に必要な着脱部材を他の場所に保管しておく必要がない。
【００５０】
このことにより、従来のオーディオ信号記録装置のように、オーディオ信号記録装置を机等に縦向きに載置していた状態から横向きに載置したいと希望しても、オーディオ信号記録装置１を机等に横向きに載置する場合に必要なフット及びフットを固定する固定部材を保管しておいた場所を忘れてしまい、オーディオ信号記録装置を横向きに載置することができなくなってしまうことを防止することができる。また、従来のオーディオ信号記録装置のように、オーディオ信号記録装置を机等に縦向きに載置していた状態から収納ラックに固定したいと希望しても、収納ラックに固定する場合に必要な着脱部材を保管しておいた場所を忘れてしまい、オーディオ信号記録装置を収納ラックに固定することができなくなってしまうことを防止することができる。
【００５１】
図１０は、本発明の第２実施例において、オーディオ信号記録装置１の表示部４を上方に傾斜させて机等に載置した状態を示す側面図である。
図１０においては、左方向を机の前方とし、右方向を机の後方とする。
【００５２】
オーディオ信号記録装置１の表示部４を上方に傾斜させて机等に載置する場合は、図１０に示すように、先ず、着脱部材５０及び着脱部材６０のそれぞれの曲げ部５０１が机１１の前方となるようにして弾性体１２の凸部１２１と弾性体１５が机１１の上面に当接するように着脱部材５０及び着脱部材６０を横に並べて載置し、次に、着脱部材５０及び着脱部材６０の上に筐体２０を載置する。
【００５３】
着脱部材５０及び着脱部材６０は、曲げ部５０１が机１１の前方となるようにして弾性体１２の凸部１２１と弾性体１５がそれぞれ机１１の上面に当接するように載置されることにより、図１０に示すように、上面が机１１の前方から後方に亘って下方に傾斜した状態となる。そして、この上面が机１１の前方から後方に亘って下方に傾斜した状態となった着脱部材５０及び着脱部材６０の上に筐体２０を載置することによって、図１０に示すように、筐体２０も前方から後方に亘って下方に傾斜した状態となり、オーディオ信号記録装置１の表示部４を上方に傾斜させて机等に載置することができる。このとき、筐体２０の下面は着脱部材５０及び着脱部材６０のそれぞれの弾性体７に当接した状態となることから、筐体２０は弾性体７の弾性力により、後方に滑り落ちることがない。
また、この場合、弾性体１２の凸部１２１と弾性体１５のみが机１１の上面に載置された状態で、前面パネル３の表示部４を上方に傾斜させて机等に載置することにより、筐体２０が直に机等に当接して筐体２０や机１１に傷がついてしまったり、机１１からの振動や衝撃が直に筐体２０に伝達することを防止することができる。
【００５４】
本発明の第２実施例のオーディオ信号記録装置１は、前面パネル３の表示部４を上方に傾斜させて机等に載置する場合、従来のオーディオ信号記録装置のように、筐体を傾斜させて載置するための特殊な部材を必要としない。このことにより、本発明の第２実施例のオーディオ信号記録装置１は、収納ラックに固定したり、また、机等に載置することが可能なオーディオ信号記録装置において、更に、表示部４を上方に傾斜させた状態でオーディオ信号記録装置を机等に載置することができるようにする場合、従来のオーディオ信号記録装置のように、筐体を机等に傾斜させて載置させるための特殊な部材が必要となってしまい、オーディオ信号記録装置のコストが増加してしまうことがない。
【００５５】
また、本発明の第２実施例のオーディオ信号記録装置１は、従来のオーディオ信号記録装置のように、オーディオ信号記録装置を収納ラックに固定したり、また、机等に横向きまたは縦向きに載置するために、筐体を傾斜させて載置するための特殊な部材を筐体から取り外して他の場所に保管しておいた場合、この特殊な部材を保管した場所を忘れてしまい、表示部４を上方に傾斜させた状態でオーディオ信号記録装置を机等に載置することができなくなってしまうことを防止することができる。
【図面の簡単な説明】
【００５６】
【図１】本発明の第１実施例のオーディオ信号記録装置の構成を示す斜視図。
【図２】本発明の第１実施例のオーディオ信号記録装置１の着脱部材５を示す図で、図２（ａ）は側面図、図２（ｂ）は図２（ａ）のＡ−Ａ断面図。
【図３】本発明の第１実施例の着脱部材５を筐体２の左側面に固定する様子を示す図で、図３（ａ）は着脱部材５を筐体２の側面に近接させ、孔５０４及び孔７０１を介して雄ネジ１０を雌ネジ部２０１に締め付けようとする状態を示す断面図、図３（ｂ）は、図３（ａ）の状態から雄ネジ１０を雌ネジ部２０１に締め付けた状態を示す断面図。
【図４】本発明の第１実施例の着脱部材５及び着脱部材６の曲げ部５０１をそれぞれ筐体２の後面に固定する状態を示す斜視図。
【図５】本発明の第１実施例において、図４に示すように着脱部材５及び着脱部材６の曲げ部５０１をそれぞれ筐体２の後面に固定した後、オーディオ信号記録装置１を机等に載置した状態を示す断面図。
【図６】本発明の第２実施例のオーディオ信号記録装置の構成を示す斜視図。
【図７】本発明の第２実施例のオーディオ信号記録装置１の着脱部材５０を示す図で、図７（ａ）は側面図、図７（ｂ）は図７（ａ）のＡ−Ａ断面図。
【図８】本発明の第２実施例の着脱部材５０及び着脱部材６０をそれぞれ筐体２０の上面及び下面に近接させ、孔５０４及び孔７０１を介して雄ネジ１０を雌ネジ部２０５及び雌ネジ部２０６に締め付けようとする状態を示す断面図。
【図９】本発明の第２実施例において、図８の状態から雄ネジ１０を雌ネジ部２０５及び雌ネジ部２０６に締め付けた状態を示す断面図。
【図１０】本発明の第２実施例において、オーディオ信号記録装置１の表示部４を上方に傾斜させて机等に載置した状態を示す側面図。
【図１１】従来の電子機器の一例を示す斜視図。
【符号の説明】
【００５７】
１  オーディオ信号記録装置、２  筐体、２０１  雌ネジ部、２０２  雌ネジ部、
２０３  雌ネジ部、３  前面パネル、４  表示部、
５  着脱部材、５０１  曲げ部、５０２  孔、５０３  凹部、５０４  孔、
６  着脱部材、７  弾性体、７０１  孔、１０  雄ネジ、１１  机、
１２  弾性体、１２１  凸部、１５  弾性体、
２０  筐体、５０  着脱部材、６０  着脱部材、
２０５  雌ネジ部、２０６  雌ネジ部、
１００  オーディオ信号記録装置、２００  筐体、２０４  雌ネジ部、
８  フット、９  固定ネジ、５００  着脱部材、６００  着脱部材
【図１】
2007115384.tif 000003
【図２】
2007115384.tif 000004
【図３】
2007115384.tif 000005
【図４】
2007115384.tif 000006
【図５】
2007115384.tif 000007
【図６】
2007115384.tif 000008
【図７】
2007115384.tif 000009
【図８】
2007115384.tif 000010
【図９】
2007115384.tif 000011
【図１０】
2007115384.tif 000012
【図１１】
2007115384.tif 000013